(57)【要約】      （修正有）【課題】シンプルで容易に組み立てられるコード／ケーブル巻取方法を提供する。【解決手段】ケーブル／コード巻取器ヘッドホン等のケーブル用の巻取器は、ボビンの側面に差し込まれ本体のボビン内に巻き付けられ又は繰り出されるケーブル又はコード（２）と共に、本体（１１）を中心として回転するボビン（３２）を有する。インデックス機構によって、ケーブルの不意の繰出しを防ぐ。道具を使わずにボビンを本体に組み込むことができる。【選択図】図１
2009012979.tif 000002
【特許請求の範囲】
【請求項１】
ケーブル又はコード（２、３８）を固定することができ、上記ケーブル又はコードをそこから伸ばすことができ、本体に軸支された回転可能なボビン（３１）で少なくとも部分的に囲まれている本体（１１）と、
上記回転可能なボビン内で上記ボビンの軸とほぼ一直線に並ぶ方向から上記本体に巻き付け可能なケーブルとを具え、
上記ボビンの回転は、上記本体の少なくとも１つの突起（２４ｂ）又はくぼみと、上記ボビンの少なくとも１つのくぼみ又は突起（２４ａ）の相互作用によりインデックスされる
ことを特徴とするケーブル／コード巻取器。
【請求項２】
上記ボビンは、外部円筒面（３２）及び本体に向かって軸方向に配置された内面（２２、２５、３７，３５）を有する
ことを特徴とする請求項１に記載のケーブル／コード巻取器。
【請求項３】
上記軸方向に配置された１つの面は、上記本体に接触するように伸びる多数のフィンガ（３７）からなり、上記コード又はケーブルは当該多数の指のうちの隣接する２本のフィンガ間からボビンを通っている
ことを特徴とする請求項２に記載のケーブル／コード巻取器。
【請求項４】
上記多数のフィンガの本数は４本である
ことを特徴とする請求項３に記載のケーブル／コード巻取器。
【請求項５】
上記コード又はケーブルは上記本体から上記ボビンの軸方向に一直線に伸び、上記ボビン内で上記本体を滑り動くように通り得る（１６ｂ）
ことを特徴とする請求項１に記載のケーブル／コード巻取器。
【請求項６】
上記ボビンは、上記ケーブル又はコードと滑り動くように嵌合し得ることにより、上記本体で上記ボビンが回転すると、上記ケーブル又はコードを本体に巻き付ける内部ボビン突起（２４、３７）を有する
ことを特徴とする請求項５に記載のケーブル／コード巻取器。
【請求項７】
上記本体の上記突起又はくぼみは可撓性の突起（２４ｂ）でなり、上記ボビンの上記くぼみ又は突起は多数の突起（２４ａ）でなる
ことを特徴とする請求項１に記載のケーブル／コード巻取器。
【請求項８】
上記本体は１つの突起を有し、上記ボビンは８個の突起を有する
ことを特徴とする請求項７に記載のケーブル／コード巻取器。
【請求項９】
上記本体の上記突起又はくぼみは多数の突起でなり、
上記ボビン（１０１）の上記くぼみ又は突起は固定された突起でなり、
上記ボビンは位置変更可能に上記本体に取り付けられている
ことを特徴とする請求項１に記載のケーブル／コード巻取器。
【請求項１０】
上記ボビンは両方向に回転することができる
ことを特徴とする請求項１に記載のケーブル／コード巻取器。
【請求項１１】
当該巻取器はストラップ（１）で支えることができる
ことを特徴とする請求項１に記載のケーブル／コード巻取器。
【請求項１２】
ケーブル又はコード（２）を固定することができ、上記ケーブル又はコードをそこから伸びすことができ、本体に軸支された回転可能なボビン（３１）で少なくとも部分的に囲まれている本体（１１）と、
上記回転可能なボビン内で上記ボビンの軸とほぼ一直線に並ぶ方向から上記本体に巻き付け可能なケーブルとを具え、
上記ボビンの回転は、上記本体（１１）の少なくとも１つの突起又はくぼみと、上記ボビン（３１）の少なくとも１つのくぼみ又は突起の相互作用によりインデックスされ、
上記ボビンは、上記コード又はケーブルと滑り動くように嵌合し得る内部ボビン突起を有することにより、上記本体で上記ボビンが回転すると、上記コード又はケーブルを上記本体に巻きつけ、
上記内部ボビン突起は、上記ケーブル又はコード（２）が巻き付いている上記本体部分付近にループ状の部分まで伸ばす
ことを特徴とするケーブル／コード巻取器。
【請求項１３】
ケーブル又はコード（２）を固定することができ、ケーブル又はコードをそこから伸ばすことができ、本体に軸支された回転可能なボビン（３１）で少なくとも部分的に囲まれている本体（１１）と、
上記回転可能なボビン内で上記ボビンの軸とほぼ一直線に並ぶ方向から上記本体に巻き付け可能なケーブルとを具え、
上記ボビンの回転は、上記本体（１１）の少なくとも１つの突起又はくぼみと、ボビン（３１）の少なくとも１つのくぼみ又は突起の相互作用によりインデックスされ、
上記ボビンは、上記コード又はケーブルと滑り動くように嵌合し得る内部ボビン突起を有することにより、上記本体で上記ボビンが回転すると、上記コード又はケーブルを上記本体に巻きつけ、
上記内部ボビン突起は、上記ケーブル又はコード（２）が巻き付いている上記本体部分付近に１本のコード又はケーブルを伸ばす
ことを特徴とするケーブル／コード巻取器。
【発明の詳細な説明】
【技術分野】
【０００１】
本発明は一般に、コード、ケーブル又は同様の細長い物用の巻取装置に関し、特にヘッドホンに用いられるような細い規格の電子ケーブルや補助コード用の巻取装置に関するものである。
【背景技術】
【０００２】
ケーブル巻取装置などの物が知られており、例えば特開平０９−１５４１９６号公報は歯車やハンドル、回転止め機構を有するゼンマイを備えたプラグ付ケーブルドラムについて述べている。同様に、特開平０７−３１２４８４号公報は、キーボードや電話機などの装置に組み込むことができるもどり止め機構を有する、バネを張った巻取ドラムを示している。
【０００３】
このような巻取器は、できるだけシンプルな機構を提供するものではなく、出力コンダクタに接触させるためのスリップリング又はソケット、周囲の巻取りドラムを回転させるため慎重に軸支された軸端、及び必要な時以外はコードの引出しをしないよう慎重に精巧に作られた逆転防止機構を必要とする。
【０００４】
したがって、シンプルで容易に組み立てられるコード／ケーブル巻取方法の提案に関する問題点に対する解決策が必要である。
【０００５】
権力範囲の変化によって、「具える」という用語は、排他的又は包括的どちらの意味もあると考えられると認められる。本明細書を意図しており別な方法で記されていない限り、「具える」という語は記された意味に限らず包括的な意味を持つものであろう。すなわち、直接参考文献に記載されている構成要素のものだけでなく、他の記載されていない構成要素も含まれていることを意味すると思われる。この理論的根拠は、方法又は処理において「具えた」又は「具える」という語が１つ又は１つ以上のステップについて使用される場合にも適用されるであろう。
【０００６】
本明細書において、「コード」という語はコード、ケーブル、ワイヤ及びその他の細長い可撓性のある補強用鋼線を含むものとして用いられる。
【０００７】
本発明は、従来技術を超える利点を提供する上述及び他の問題に対する解決策を提案するものである。
【発明の開示】
【０００８】
本発明は、ケーブル又はコードを本体に固定してそこから伸ばすことができ、本体に軸支された回転可能なボビンで少なくとも部分的に囲まれている当該本体と、回転可能なボビン内でボビンの軸とほぼ一直線に並ぶ方向から本体に巻き付け可能なケーブルとを具え、ボビンの回転は、本体の少なくとも１つの突起又はくぼみと、ボビンの少なくとも１つのくぼみ又は突起の相互作用によりインデックスされるケーブル／コード巻取器に関するものである。
【０００９】
一実施例において、ボビンは外部円筒面及び本体に向かって軸方向に配置された内面を有する。
【００１０】
他の実施例において、当該軸方向に配置された１つの面は、本体に接触するように伸びる多数のフィンガからなり、コード又はケーブルが当該多数の指のうちの隣接する２本のフィンガ間からボビンを通り抜けている。
【００１１】
当該多数のフィンガの本数は４本でも良い。
【００１２】
コード又はケーブルは、本体からボビンの軸方向に一直線に伸び、ボビン内で本体を滑り動くように通ることができる。
【００１３】
一実施例において、ケーブル又はコードに滑り動くように嵌合し得、本体でボビンが回転するとケーブル又はコードを本体に巻き付ける内部ボビン突起をボビンは有する。
【００１４】
他の実施例において、本体の突起又はくぼみは可撓性の突起でなり、ボビンのくぼみ又は突起は多数の突起でなる。
【００１５】
一実施例において、本体は１つの突起を有し、ボビンは８個の突起を有する。
【００１６】
さらに実施例において、本体の突起又はくぼみは多数の突起でなり、ボビンのくぼみ又は突起は固定した突起でなり、ボビンは移動可能に本体に取り付けられている。
【００１７】
またさらに実施例において、ボビンは両方向に回転することができる。
【００１８】
巻取器はストラップで支えられていても良い。
【００１９】
あるいは、本発明は少なくとも１つの円筒部がある本体を備え、円筒形の本体部分で回転可能な、ボビン内部の環状体の空間に対してボビンの側面を通って外部に通じる少なくとも１つの穴を有するボビンを備え、本体におけるボビンの回転を阻止するもどり止め機構を備え、本体に対してボビンを回転させることによりボビンの側面を通り抜けるケーブルを本体の方に巻き上げるケーブル巻上げ方法であると言える。
【００２０】
さらに実例において、本発明は少なくとも１つの円筒部がある本体を備え、ボビン内部の空間に対して外部に通じる少なくとも１つの穴を有する円筒形の本体部分において回転可能なボビンを備え、本体におけるボビンの回転を阻止するもどり止め機構を備え、本体に対してボビンを回転させてボビン内の空間に通じる１つの穴を通り抜けるコード又はケーブルを巻き上げるケーブル巻上げ方法である。
【００２１】
ケーブル巻上げ方法は、ボビンから伸びるフィンガを備え、ケーブルがフィンガに嵌合することにより本体においてケーブルがボビン内部で一直線に並ぶものであっても良い。
【００２２】
またさらに実例において、本発明はケーブル又はコードを本体に固定してそこから伸ばすことができ、本体に軸支された回転可能なボビンで少なくとも部分的に囲まれている当該本体と、回転可能なボビン内でボビンの軸とほぼ一直線に並ぶ方向から本体に巻き付け可能なケーブルとを具え、ボビンの回転は、本体の少なくとも１つの突起又はくぼみと、ボビンの少なくとも１つのくぼみ又は突起の相互作用によりインデックスされ、ボビンはコード又はケーブルに滑り動くように嵌合し得る内部ボビン突起を有しており、本体でボビンが回転すると、コード又はケーブルを本体に巻きつけ、内部ボビン突起は、ケーブル又はコードが巻き付いている本体部分付近にループを伸ばすケーブル／コード巻取器である。
【００２３】
またさらに実例において、本発明は、ケーブル又はコードを本体に固定してそこから伸ばし得、本体に軸支された回転可能なボビンで少なくとも部分的に囲まれている当該本体と、回転可能なボビン内でボビンの軸とほぼ一直線に並ぶ方向から本体に巻き付け可能なケーブルとを具え、ボビンの回転は、本体の少なくとも１つの突起又はくぼみと、ボビンの少なくとも１つのくぼみ又は突起の相互作用によりインデックスされ、ボビンはコード又はケーブルに滑り動くように嵌合し得る内部ボビン突起を有しており、本体においてボビンが回転すると、コード又はケーブルを本体に巻きつけ、内部ボビン突起は、ケーブル又はコードが巻き付いている本体部分付近に１本のコード又はケーブルを伸ばすケーブル／コード巻取器である。
【００２４】
あるいは、本発明は上述の各段落で述べた、軸方向に並んだ種類の異なる当該２つのケーブル／コード巻取器を集合的に有するケーブル巻取器であっても良い。
【００２５】
本発明を特徴づける効果と共にこれら及び他の構成は、以下の詳細な説明を読み関連した図面を見ることにより明白となる。
【発明を実施するための最良の形態】
【００２６】
図１に示すように、本発明を適用したコード巻取り装置は、ストラップ１の端部に取付けられ、ユーザが携帯電話機などの小型電子機器を首等から下げるようになされている。コード巻取り装置は電子機器に取り付けられているループ状コード２の引き込み、引き出しをおこなう。
【００２７】
図１〜図３に示すように、本発明を適用したコード巻取装置１０は、ストラップ１の端部１ａが固定され、ループ状コード２が固定されることによりループ状コード２を巻き上げる本体部１１、ループ状コードを本体部１１に巻き付けるコード巻取部２１、及びコード巻取部２１に取り付けられたボビン部３１を含んでなる。
【００２８】
図２及び図３に示すように、本体部１１は、ストラップ１の端部とループ状コード２を固定する本体部１１の固定部１２に、ループ状コード２が巻き付けられる芯部１３を含んでなる。
【００２９】
固定部１２は概円筒形で、筐体の外面の一部を形成している。固定部１２は、互いに重なり合うストラップ１の向かい合う端部１ａが取り付けられる取付凹部１４の上部表面に形成されている。ストラップ１は可撓性の素材でなり、その端部１ａには取付穴１４ａがある。取付凹部１４は、ストラップ１の端部１ａが差し込まれ固定され得るような大きさに作られる。取付凹部１４には、凹みの底面付近の側面に、向かい合わせに形成された貫通孔１４ｂがある。さらに、ストラップ１の端部１ａ近くに、ストラップ１を取付凹部１４に固定する取付穴１４ａが形成されている。ストラップ１の端部１ａは、もう一方の端部１ａと重ねて取付凹部１４に差し込まれ、取付穴１４ａと一直線に並べられる。固定ピン１４ｃは、貫通孔１４ｂと取付穴１４ａにしっかりはめ込まれ、ストラップ１を本体部１１に固定する。これにより、ストラップ１は例えばループ状構造で固定部１２に取り付けられる。
【００３０】
さらに、図２及び図３に示すように、ループ状コード２を本体部１１に固定する手段として、挿入孔１５ａの反対側に連続して形成された第１の凹部１５ｂ及び第２の凹部１５ｃと共に放射状に形成された挿入孔１５ａが設けられている。図３に示すように、コード２の端部は第２の凹部１５ｃ側からそろえて一列に並べられた状態で挿入孔１５ａに固定され、第１の凹部１５ｂ側において、コード２の端部に端部結び目もしくはストッパ１５ｄが形成されることにより、ループ状コード２が挿入孔１５ａからすべり落ちるのを防ぐ。よってループ状コード２は第２の凹部１５ｃから芯部１３側に引き出される。なお図３の場合、端部１５ｄには端部をとどめておくように結び目がある。コーキング材１５ａでループ２の端部を保持する図８に示すように、端部処理部１５ｄをコーキング材で形成してループ状コード２の反対側端部を止めても良い。
【００３１】
上述のように概円筒形の芯部１３は、本体部１１の固定部１２のようなものの下方面に形成されている。芯部１３は軸方向に形成されたスリット１６ａを有し、その中央部にスリット１６ａに通じるように半径方向に形成された貫通孔１６ｂを有する。ループ状コード２は第２の凹部１５ｃから引き出され、スリット１６ａに向かって芯部１３の半径方向に伸びるように形成された貫通孔１６ｂに挿入されており、スリット１６ａを通り抜けて芯部１３の端部から引き出されている。
【００３２】
芯部１３はスリット１６ａによって２分割された状態にあり、芯部１３の半体１７ａは半径方向に弾力性をもつように配置され得る。さらに、本体部１１をコード巻取部２１に取付けるロック突起１７ｂが芯部１３の半体１７ａの外に向いている突起として形成される。さらに、本体部１１に対してコード巻取部２１とボビン部３１の回転範囲を制限するためのストッパ突起１８が芯部１３の根元部分に形成されている。
【００３３】
図２〜図４でわかるように、上述のように本体部１１が取付けられているコード巻取部２１は、概円筒形に形成され、コード巻取部２１の内側面において、ボビン部３１に抑え板２２が取付けられている。本体部１１の芯部１３の端部は、半体１７ａの弾力でずれるため、概リング状の抑え板２２の中心部開口２２ａに差し込まれ、ロック突起１７ｂは抑え板２２の開口２２ａの周辺部でロックされる。その結果、コード巻取部２１が本体部１１の回転に対して抜け落ちない状態に取付けられる。概管状のコード巻取部２１は本体部１１側のコード巻取り部２１の開口端に形成され、ストッパ突起１８と嵌合する。したがって、コード巻取部２１は、例えばストッパ２３が本体部１１のストッパ突起１８とかみ合わない範囲、例えば本体部１１に対して約９０°〜２７０°以上回転しても良い。つまり、コード巻取部２１の回転範囲は、ストッパ突起１８とストッパ２３の位置と大きさ、ループ状コード２の長さ、ボビン部３１の端部から引き出されるループ状コード２の長さの調節量などを考慮して決定される。
【００３４】
さらに、図６に示すように、内側に突き出るように歯車２４が概円筒形のコード巻取部２１に形成されている。コード巻取部２１が本体部１１に取付けられる場合、歯車２４は固定部１２の第２の凹部１５ｃから芯部１３の貫通孔１６ｂに伸びるループ状コード２とかみ合うようになされている。そして本体部１１に対してコード巻取部２１が図６の矢印で示される方向に回転すると、コード２が歯車２４によって芯部１３に巻き付けられる。
【００３５】
本体部１１側の歯車２４の表面には突起２４ａが形成されている。突起部２４ａは、固定部１２の下方面と芯部１３を中心にして滑らかにかみ合う。突出部２４ｂは、芯部１３を中心にして、例えば突起２４ａが滑らかにかみ合っている固定部１２の下部表面に半径方向に形成されている。したがって、コード巻取部２１が本体部１１に対して回転する場合、歯車２４の突起２４ａは芯部１３を中心として、固定部１２の下方面に形成されている突出部２４ｂに沿って移動することにより、カチッと歯止めされる感覚をユーザに与える。
【００３６】
本体部１１に対して、ボビン部３１はコード巻取部２１と合体されて取付けられる部材であり、コード巻取部２１と合体して回転し、本体部１１の固定部１２と共に筐体外側の一部分を形成する。ボビン部３１は、ユーザがループ状コード２を巻き上げる又は引き出すための回転操作を行う場合、操作部として働く。ボビン部３１は、本体部１１の下部を囲んでおり、コード巻取部２１が取付けられているカラー３２、及びループ状コード２を引き出す引出し部３３を含んでなる。
【００３７】
コード巻取部２１の複数の嵌合突起２５がカラー３２の内周にあるスロット３４とかみ合うことにより、歯車２４はボビン部３１と合体して回転する。コード巻取部はカラー３２の突起３６にパチンとはまる突起２６により保持される。
【００３８】
カラー３２は、コード巻取部２１がカラー３２に収容される大きさに作られ、フランジのように突き出た本体部１１の固定部１２の上面１２ａが外部に露出している。嵌合溝（スロット）３４は、コード巻取部２１の外周面に形成された嵌合突起２５とかみ合うようにして取付け部３２の内周面に形成されている。
【００３９】
引出し部３３は、取付け部３２より小さい直径をもつように形成され、ループ状コード２を外部に引き出すための開口３５が引出し部３３の端部に形成されている。開口３５は仕切り部３５ａによって２つに分割され、ループ状コード２は引出し口３５ｂから引き出される。特に、ループ状コード２において開口３５の外部にループ２ａが形成され、ループ状コード２のループ２ａが仕切り部３５ａに引っかかるまで巻き上げることができるため、ループ２ａの端部が中に入り込むことはない。
【００４０】
なお上述のように、たとえ仕切り部３５ａがボビン部３１の開口３５にではなくコード巻取部２１の取付板２２の開口２２ａに設けられていたとしても、ほぼ同じ効果を得ることができる。
【００４１】
上述したようなコード巻取装置１０を組み立てるために、図３に示すように、第１のコード巻取部２１がパチンとはまることにより、コード巻取り部２１の嵌合突起２５がボビン部材３１の嵌合溝３４とかみ合うまで突起２６がボビン部３１の突起３６に載ることになる。これによりコード巻取部２１とボビン部３１が一体になる。
【００４２】
そして、ループ状ではない一本のコード２の端部がそれぞれ引出し口３５ｂに差し込まれ、端部が一列に並べられた状態でコード巻取部２１の取付板２２の開口２２ａに差し込まれる。さらに、コード２の端部はスリット１６ａを過ぎ貫通孔１６ｂを介して本体部１１の芯部１３の端部から引き出された後、挿入孔１５ａを介して第２の凹部１５ｃから第１の凹部１５ｂに引き出される。その結果、固定部１２の第２の凹部１５ｃから芯部１３の貫通孔１６ｂに伸びるループ状コード２は歯車２４にかみ合う。そしてコード２の端部は、第１の凹部１５ｂでお互いに結び合わされることにより、ループ状コード２はループ状の状態を示す。端部１５ｄの直径は挿入孔１５ａより大きいため、挿入孔１５ａによってコードが外れることはない。
【００４３】
その後図７に示すように、本体部１１はボビン部３１に取付けられたコード巻取部２１に差し込まれ、芯部１３の端部は半体１７ａの弾力によるずれによって取付板２２の中心開口２２ａに差し込まれる。これにより本体部１１はコード巻取部２１に取付けられる。そして、本体部１１は、芯部１３をストラップ１に固定するための貫通孔１４ｂ及びループ状コード２を固定する第１及び第２の凹部１５ｂ、１５ｃがボビン部３１に隠れるようにしてボビン部３１に取付けられ、上面１２ａを形成する下部の段部分は、ボビン部３１の取付け部３２の上部開口端に接することになる。
【００４４】
なおストラップ１が本体部１１に取り付けられるのは、本体部１１がコード巻取部２１に取付けられる前でも後でも良い。
【００４５】
上述の構成を有するコード巻取装置１０の操作方法について、図６及び図７を用いて説明する。ボビン部３１の端部から引き出されたループ状コード２を巻き上げるため、ボビン部３１に取付けられたコード巻取部２１は、本体部１１に対して反対方向に回転する。その結果、固定部１２の第２の凹部１５ｃから芯部１３の貫通孔１６ｂに伸びたループ状コード２がかみ合っている歯車２４は、ボビン部３１と共に回転するコード巻取部２１の回転と共に、本体部１１の芯部１３を中心としてループ状コード２を巻付ける。したがって、ボビン部３１の開口３５から引き出されたループ状コード２が巻き上げられ、開口３５からの長さは短くなる。その結果、ループ状コード２を開口３５の仕切り部３５ａに引っかかるまで巻き上げることができる。
【００４６】
一方、開口３５から引き出されたループ状コード２をボビン部３１の端部において出させるため、ボビン部３１に取付けられたコード巻取部２１は、本体部１１に対し、もう一方の反対方向に回転する。その結果、本体部１１の芯部１３に巻きついたループ状コード２が緩み、自動的に、またはユーザがボビン部３１の開口３５から引き出されたループ状コード２を引っぱることによって、外に引き出すことができる。
【００４７】
ボビン部３１が回転すると、歯車２４の突起２４ａが芯部１３を中心として固定部１２の下部表面に形成された凹凸形状に沿って動いているような、もどり止めの感覚をユーザに与える。
【００４８】
上述のように、本発明を適用したコード巻取装置１０において、ボビン部３１と合体して取付けられたコード巻取部２１の歯車２４を使用しているユーザは、ボビン部３１を回転操作することにより、止め具１８及び２３が移動可能な範囲内で、ボビン部３１の端部から引き出された、携帯電話機など小型電子装置を取付けるループ状コード２の長さを所望の長さに変えることができる。
【００４９】
図９の第２の実施の形態の巻取器はコード巻取器の斜視図を示し、それぞれがイヤホンに接続されたコード３９及び４０を有する本体１１及び巻取りボビン部３２からなる。巻取器は細いひも２でぶら下げることができ、ボビン部内に保持される中央円筒部１３に巻き付け可能な供給電源に接続される電気コード３８を有していても良い。ボビン３２は、円筒部１３の先端において溝に伸びる、軸つばに代わるフィンガ３７がある外部円筒面を有することにより、コード３８が当該２本のコードやジャーナルの回転に引っ掛かることを防止する。
【００５０】
コード３８はボビン３２の回転によって、巻きつけられまた円筒部１３付近の格納場所からほどけるようになされている。
【００５１】
図１０は、図１１と共に見ると最適なように、格納部分の開口端と、格納限度を限定して巻上げボビンを固定する働きをする渦巻き突出面４３の間の延長円筒面４２を有する円筒部の操作端についてより詳細に示す。渦巻き面４３の内側端部は外方に偏った可撓性の歯車４４で終わっており、軸支面４５は本体内側の渦巻き面４３の残り付近に伸びている。
【００５２】
図１１の断面図に示すように、ボビン３２は、望ましくは曲線的であり、可撓性の歯車２４ａと共に動く表面突起２４ｂを有することにより、本体１１におけるボビン３２の回転をインデックスし、突起２４ｂ及び歯車２４ａはどちらの方向にも回転できるが、不意の動きを防ぐ。
【００５３】
突起２４ｂの大きさは、組立て部品としては渦巻き面４３を越えていても良いが、その後突起２４ｂは、面３３上でのフィンガ３７の相互作用により軸支したボビン３２の外側端部と共に、軸支面４５における渦巻き面の回転範囲内で横方向に引っ掛かる。したがって要約して言うと、突起はボビン３２内部の限界を定めるカラーの働きをする。
【００５４】
望ましくは２つの半体から組み立てられる本体１１は、電子回路基板４６を含んでいても良く、これによりケーブルの接続ができ、またケーブル３８の内側端部を固定し得る。
【００５５】
図１２に示すように、電源コード３８は巻取りボビン３２におおむね含まれていても良い。
【００５６】
図ではボビン上に４つのフィンガー３７を示したが、本体１１においてボビンを楽に回転させる、もっと少数又は多数のフィンガーを用いても良く、ケーブル用としては、スロットが１つある固いカラーからなっていても良い。
【００５７】
１つの可撓性の歯車２４ｂを示したが、本体１１におけるボビンの場所とつり合う偏りを備えることを望む場合は、１つ以上の歯車を使用しても良い。
【００５８】
なおストラップ１は、アクセサリ等が取付けられるタイプのものであっても良く、ループ状コード２に取付けられる物は小型電子機器に限らない。
【００５９】
上述の本発明の２つの実施の形態によれば、コード、ワイヤー、ケーブルをそれぞれ装置の回転軸を通るコード、又は装置の回転軸から外れて巻取器に入るコードをもつ巻取器の軸方向に巻き取ることができる。もし所望の両実施例を１つの機構に含むことができれば、つり下げたアイテムを支えるひもと、アイテムに接続されたヘッドホンのコードの両方を調節することができる。
【００６０】
本発明のいくつかの実施例の構成と作用の詳述と共に、多数の特徴と本発明のいくつかの実施例の利点を上述の説明に開示したが、本開示は実例に関してのみであり、本発明の機能が不都合に作用しない限り、細部は変更を加えても良いと解釈するものである。例えばコード巻取器の個々の構成要素は、本発明の範囲からそれることなく使用される個々の案件によって異なり得る。
【００６１】
さらに、本明細書で述べられた実施例は、ヘッドホン又はイヤホンのコード巻取器を示すものであるが、本発明の教示はアイロンやハンドドリル等もっと大きな機械用のケーブル巻取器など、本発明の範囲及び目的からそれていない他の装置にも適用し得ることを当業者によって認識するものである。
【産業上の利用可能性】
【００６２】
本発明のコード巻取器は汎用電子機器の分野で用いられ、携帯型機器用の長さ調節が可能なケーブル又はコードをユーザに提供する。
【図面の簡単な説明】
【００６３】
【図１】第１の実施の形態のコード巻取器の斜視図である。
【図２】図１の分解組立図である。
【図３】図１の断面組立図である。
【図４】図２の巻付け部の上面図である。
【図５】巻付け部を適切にはずしたボビン部の上面図である。
【図６】ボビンの大部分が影になっている巻取器の斜視図である。
【図７】図１の断面組立図である。
【図８】コード巻取器に使う補助コードの図である。
【図９】第２の実施の形態のコード巻取器の全体斜視図である。
【図１０】ボビンが影になっている第２のコード巻取器の中心部の斜視図である。
【図１１】図１０の線分ＡＡによる垂直面の断面図である。
【図１２】使用時のコード巻取器の斜視図である。
【図１】
2009012979.tif 000003
【図２】
2009012979.tif 000004
【図３】
2009012979.tif 000005
【図４】
2009012979.tif 000006
【図５】
2009012979.tif 000007
【図６】
2009012979.tif 000008
【図７】
2009012979.tif 000009
【図８】
2009012979.tif 000010
【図９】
2009012979.tif 000011
【図１０】
2009012979.tif 000012
【図１１】
2009012979.tif 000013
【図１２】
2009012979.tif 000014